(57)【要約】  揚げ器において揚げ器ポットに油を自動的に充填しかつ維持するためのシステムは、揚げ器と、揚げ器内に配置された複数の揚げ器ポットとを有する。複数の揚げ器のそれぞれは、第１の温度センサと、第２の温度センサとを有する。第２の温度センサは、前記第１の温度センサが第１の所定の温度を検出した場合に前記第１の温度センサに応答して揚げ器ポットの充填サイクルを開始するために使用可能にされる。
2010522057.tif 000002
【特許請求の範囲】
【請求項１】
揚げ器において揚げ器ポットに油を自動的に充填しかつ維持するためのシステムにおいて、
揚げ器と、
該揚げ器内に配置された複数の揚げ器ポットとが設けられており、該複数の揚げ器ポットのそれぞれが、第１の温度センサと、第２の温度センサとを有しており、
前記第１の温度センサが第１の所定の温度を検出すると、前記第１の温度センサに応答して揚げ器ポットの充填サイクルを開始するために、前記第２の温度センサが使用可能にされることを特徴とする、揚げ器において揚げ器ポットに油を自動的に充填しかつ維持するためのシステム。
【請求項２】
ポンプと、複数の弁とが設けられており、該複数の弁のそれぞれが、前記複数の揚げ器ポットの１つに関連しており、前記複数の揚げ器ポットの前記第２の温度センサが第２の所定の温度を検出すると、前記ポンプと、前記複数の弁の１つとが作動させられる、請求項１記載のシステム。
【請求項３】
前記複数の揚げ器ポットのそれぞれにおける前記第２の温度センサが、前記第２の所定の温度よりも大きな値の第３の所定の温度を検出すると、前記ポンプと、前記複数の弁の１つが、作動停止させられる、請求項２記載のシステム。
【請求項４】
前記第１の温度センサが第１の所定の温度を検出しない場合、前記第２の温度センサが、揚げ器ポットの充填サイクルを開始するために使用可能にさせられない、請求項２記載のシステム。
【請求項５】
前記第１の温度センサが、前記揚げ器ポットの底面における加熱エレメントの近傍に配置されている、請求項１記載のシステム。
【請求項６】
前記第２の温度センサが、前記第１の温度センサよりも前記揚げ器ポットの底面から離れた位置において前記揚げ器ポットに配置されている、請求項５記載のシステム。
【請求項７】
前記第２のセンサに関連した、前記揚げ器ポットにおける第３の温度センサが設けられており、前記第２の温度センサが前記第３の所定の温度を検出しない場合、前記第３の温度センサが前記第２の温度センサを不能にする、請求項３記載のシステム。
【請求項８】
前記第１の所定の温度の範囲が約１２１．１℃〜約１３７．８℃である、請求項１記載のシステム。
【請求項９】
前記第２の所定の温度の範囲が約１２６．７℃〜約１４３．３℃である、請求項２記載のシステム。
【請求項１０】
前記第３の所定の温度の範囲が約１４８．９℃〜約１６５．６℃である、請求項７記載のシステム。
【請求項１１】
前記第１の温度センサが、前記第１の所定の温度よりも約−１５℃〜約−３．９℃だけ低い範囲の温度を検出すると、前記第１の温度センサは、前記第２の温度センサを使用可能にしない、請求項１記載のシステム。
【請求項１２】
前記第１の温度センサと、前記第２の温度センサと、前記第３の温度センサとが、機械的な熱スイッチである、請求項７記載のシステム。
【請求項１３】
前記複数の弁が、複数のソレノイド弁である、請求項２記載のシステム。
【請求項１４】
揚げ器において揚げ器ポットに油を自動的に充填しかつ維持するためのシステムにおいて、
揚げ器と、
該揚げ器内に配置された複数の揚げ器ポットとが設けられており、該複数の揚げ器ポットのそれぞれが、第１の熱スイッチと、第２の熱スイッチとを有しており、
ポンプと、複数の弁とが設けられており、該複数の弁のそれぞれが、前記複数の揚げ器ポットの１つに関連しており、
前記複数の揚げ器ポットの１つにおける前記第２の熱スイッチが、第１の所定の温度に応答して揚げ器ポットの充填サイクルを開始するために前記複数の揚げ器ポットの１つにおける前記第１の熱スイッチによって使用可能にされ、前記第２の熱スイッチが、第２の所定の温度に応答して、前記ポンプと、前記複数の弁の１つとを開放させることを特徴とする、揚げ器において揚げ器ポットに油を自動的に充填しかつ維持するためのシステム。
【請求項１５】
前記第２の熱スイッチが、第３の所定の温度に応答して前記ポンプ及び前記複数の弁のそれぞれを閉鎖する、請求項１４記載のシステム。
【請求項１６】
前記第２の熱スイッチが前記第３の所定の温度を検出しない場合に前記ポンプを作動停止させるために前記ポンプに関連した第３の熱スイッチが設けられている、請求項１５記載のシステム。
【請求項１７】
前記第１の所定の温度の範囲が約１２１．１℃〜約１３７．８℃である、請求項１４記載のシステム。
【請求項１８】
前記第２の所定の温度の範囲が約１２６．７℃〜約１４３．３℃である、請求項１４記載のシステム。
【請求項１９】
前記第３の所定の温度の範囲が約１４８．９℃〜約１６５．６℃である、請求項１４記載のシステム。
【請求項２０】
前記第１の温度センサが、前記第１の所定の温度よりも約−１５℃〜約−３．９℃だけ低い範囲の温度を検出すると、前記第１の温度センサは、前記第２の温度センサを使用可能にしない、請求項１４記載のシステム。
【請求項２１】
ばねと、該ばねに載置された油リザーバとが設けられており、前記ポンプが油を前記リザーバから除去しながら前記ばねが拡張して前記油リザーバを持ち上げるようになっている、請求項１４記載のシステム。
【請求項２２】
前記ばねが、所定の程度の拡張の後にアラームを作動させることができ、これによりリザーバにおける油の量が低いことを示すようになっている、請求項２１記載のシステム。
【請求項２３】
揚げ器において揚げ器ポットに油を自動的に充填しかつ維持するためのシステムにおいて、
揚げ器と、
該揚げ器内に配置された複数の揚げ器ポットとが設けられており、前記複数の揚げ器ポットのそれぞれが、第１の熱スイッチと、第２の熱スイッチとを有しており、
ポンプと、複数の弁とが設けられており、前記複数の弁のそれぞれが前記複数の揚げ器ポットの１つに関連しており、
前記複数の揚げ器ポットの１つにおける前記第２の熱スイッチが、第１の所定の温度に応答して揚げ器の充填サイクルを開始するために、前記複数の揚げ器ポットの１つにおける前記第１の熱スイッチによって使用可能にされ、前記第２の熱スイッチが、第２の所定の温度に応答して前記揚げ器ポットに油を提供するために、前記ポンプと、前記複数の弁の１つとを開放させ、かつ第３の所定の温度に応答して前記ポンプと前記複数の弁の１つとを閉鎖させることを特徴とする、揚げ器において揚げ器ポットに油を自動的に充填しかつ維持するためのシステム。
【請求項２４】
前記第３の所定の温度が、前記複数の揚げ器ポットの前記１つにおける油レベルを示す、請求項２３記載のシステム。
【請求項２５】
複数の充填管が設けられており、該複数の充填管のそれぞれが前記揚げ器ポットの１つに配置されており、前記複数の充填管のそれぞれが、前記揚げ器ポットにおける前記油レベルよりも高い位置に配置されている、請求項２４記載のシステム。
【請求項２６】
前記第１の所定の温度の範囲が約１２１．１℃〜約１３７．８℃である、請求項２３記載のシステム。
【請求項２７】
前記第２の所定の温度の範囲が約１２６．７℃〜約１４３．３℃である、請求項２３記載のシステム。
【請求項２８】
前記第３の所定の温度の範囲が約１４８．９℃〜約１６５．６℃である、請求項２３記載のシステム。
【請求項２９】
前記第１の温度センサが、前記第１の所定の温度よりも約−１５℃〜約−３．９℃だけ低い範囲の温度を検出すると、前記第１の温度センサは、前記第２の温度センサを使用可能にしない、請求項２３記載のシステム。
【請求項３０】
ばねと、該ばねに載置された油リザーバとが設けられており、前記ポンプが油を前記リザーバから除去しながら前記ばねが拡張して前記油リザーバを持ち上げるようになっている、請求項２３記載のシステム。
【請求項３１】
前記ばねが、所定の程度の拡張の後にアラームを作動させることができ、これによりリザーバにおける油の量が低いことを示すようになっている、請求項２３記載のシステム。
【発明の詳細な説明】
【技術分野】
【０００１】
本願は、２００７年３月１９日に出願された米国特許仮出願第６０／９１８８４３号の利益を請求し、その開示内容は引用したことにより本明細書に記載されたこととする。
【０００２】
発明の背景
１．発明の分野
本発明は食品サービス産業のための揚げ器に関する。特に、本発明は、調理容器における調理油の量を充填及び維持することができる、食品サービス産業のための揚げ器に関する。特に、本発明は、油の検出された温度に応じて、調理容器における調理油の量を充填及び維持することができる揚げ器に関する。
【０００３】
２．関連技術の説明
揚げ器は、食品サービス産業、特にファーストフードサービス産業のための必需品である。食品の迅速な調理のために、調理油が調理ポットに充填され、常に特定の温度でなければならない。調理過程において、油の多くは食品によって吸収され、油量の損失を生じる。さらに、温度上昇の速度が、直接に、短縮された油の寿命に関連する。したがって、加熱過程によって生ぜしめられる油劣化を最小限に抑制するために、調理過程において油の量を最適なレベルに維持する必要がある。すなわち、調理過程の間、常に揚げ器に油を満たしていなければならない。油を最適なレベル及び最適な温度に維持するための自動のシステムが設けられていない場合、操作者は、調理の間に油の量を見過ごしてしまい、調理油の有効寿命を短縮する恐れがある。
【０００４】
したがって、操作者の介入なしに、商業用揚げ器のための所望の調理油量及び温度を充填及び維持する揚げ器が必要とされている。
【０００５】
発明の概要
本発明は、特定のポットにおける温度センサに応答して揚げ器ポットにおける調理油の量を充填及び維持する揚げ器を提供する。
【０００６】
本発明は、１つ又は２つ以上の特定のポットにおける温度センサに応答して、揚げ器における複数の揚げ器ポットのうちの１つ又は２つ以上における油の量を充填及び維持する揚げ器をも提供する。
【０００７】
本発明はさらに、１つ又は複数の揚げ器ポットにおける温度センサが調理油の所定の高い温度を検出した場合にのみ、揚げ器における複数の揚げ器ポットのうちの１つ又は２つ以上における調理油の量を充填及び維持する揚げ器を提供する。
【０００８】
本発明はさらに、揚げ器ポットに関連した温度センサが調理油の所定の高い温度を検出した場合にのみ、揚げ器ポットにおける調理油の量を充填及び維持するために、ポンプと、特定の揚げ器に関連したソレノイド弁とを作動させる揚げ器を提供する。
【０００９】
本発明はさらに、１つ又は２つ以上の揚げ器ポットに関連した温度センサが、調理油が所定の温度に達したことを検出した場合にのみ、調理油の量を充填及び維持するために、ポンプと、複数の揚げ器ポットのうちの１つ又は２つ以上に関連したソレノイド弁とを作動させる揚げ器を提供する。
【００１０】
本発明はさらに、油レベルがポットにおいて低下した場合に、所定の低い温度が検出された場合に、１つ又は複数の揚げ器ポットにおける調理油の量を充填及び維持する揚げ器を提供し、この場合、充填を開始するために、温度センサがポンプを作動させ、特定の揚げ器ポットにおいてソレノイド弁が開放される。
【００１１】
本発明は、所定の油温度が検出された場合に、揚げ器ポットにおける充填を停止させる揚げ器を提供する。
【００１２】
本発明は、油温度を検出するために、温度センサが接続された揚げ器ポットにおける加熱エレメントを提供する揚げ器を提供し、検出された温度が別のセンサを作動させ、この別のセンサが、揚げ器ポットの充填を開始又は停止するために揚げ器ポットにおける油レベルに応答して油温度を検出する。
【００１３】
本発明はさらに、特定のポットにおける油の低いレベルに応答して複数の揚げ器ポットのうちの１つ又は２つ以上に新たな油を導入する揚げ器を提供し、油は、使用された油による新たな油の汚染を最小限に抑制するために、別個の管路によって、油ラインの上方に導入される。
【００１４】
本発明はさらに、２つのポンプを有する揚げ器を提供し、２つのポンプのうちの一方は油ラインの上方に新たな調理油を圧送するためのものであり、２つのポンプのうちの他方は使用された調理油をろ過するためのものである。
【００１５】
本発明はさらに、特定の揚げ器ポットに圧送されるまで新たな油と使用された油とが互いに接触しないように、新たな油と使用された油とを独立して揚げ器ポットに送り込むための２つの別個の給油ラインを有する揚げ器を提供する。
【００１６】
本発明は、揚げ器ハウジングに固定された充填可能なリザーバを有する揚げ器を提供する。
【００１７】
本発明は、揚げ器の揚げ器ポットにおける調理油の量を充填及び維持する、温度作動されるスイッチと機械的な接点との回路によって制御される揚げ器を提供する。
【００１８】
したがって、各ポットにおける浸漬可能な油レベルセンサに応答して別個に充填可能な複数の揚げ器ポットを有しており、各ポットにおける浸漬可能な温度センサが、各ポットにおける温度センサによって介入させられる、揚げ器が必要とされている。
【００１９】
これらの利益及び利点並びにその他の利益及び利点は、揚げ器と、揚げ器内に配置された複数の揚げ器ポットとを有する、揚げ器において揚げ器ポットを油で自動的に充填しかつ油を維持するためのシステムによって提供される。複数の揚げ器ポットのそれぞれは、第１の温度センサと、第２の温度センサとを有している。第２の温度センサは、前記第１の温度センサが第１の所定の温度を検出した場合に前記第１の温度センサに応答して揚げ器ポットの充填サイクルを開始するために使用可能にされる。
【００２０】
揚げ器において揚げ器ポットを油で自動的に充填及び維持するためのシステム。揚げ器は複数の揚げ器ポットを有しており、複数の揚げ器ポットのそれぞれは、第１の熱スイッチと、第２の熱スイッチとを有している。システムはさらに、ポンプと、複数の揚げ器ポットのうちの１つに関連した複数の弁とを提供する。複数の揚げ器ポットの１つにおける第２の熱スイッチは、第１の所定の温度に応答して揚げ器ポットの充填サイクルを開始するために、複数の揚げ器ポットの１つにおける第１の熱スイッチによって使用可能にされる。第２の熱スイッチは、第２の所定の温度に応答して、ポンプと、複数の弁のうちの１つを開放させる。
【００２１】
揚げ器において揚げ器ポットを油で自動的に充填しかつ油を維持するためのシステムは、揚げ器と、複数の揚げ器ポットとを有している。複数の揚げ器ポットのそれぞれは、第１の熱スイッチと、第２の熱スイッチと、ポンプと、複数のベントを有している。複数の揚げ器ポットの１つにおける第２の熱スイッチは、第１の所定の温度に応答して揚げ器ポットの充填サイクルを開始するために、複数の揚げ器ポットの１つにおける第１の熱スイッチによって使用可能にされる。第２の熱スイッチは、第２の所定の温度に応答して揚げ器ポットに油を提供するために、ポンプと、複数の弁の１つとを開放させ、第３の所定の温度に応答して、ポンプと、前記複数の弁の１つとを閉鎖させる。
【００２２】
本発明のその他の利益、利点及び特徴は、添付の図面に関連した以下の明細書を参照することによって理解されるであろう。図面において、同じ符号は構造体の同じエレメントを表している。
【図面の簡単な説明】
【００２３】
【図１】３つの揚げ器ポットと、本発明による内部の固定されたリザーバとを有する、揚げ器の正面図である。
【図２】本発明による、温度センサを有する揚げ器ポットの後方斜視図である。
【図３】本発明による、加熱エレメントと温度センサとを有する揚げ器ポットの前方斜視図である。
【図４】本発明による、温度センサと、リニアモータと、排出弁と、充填弁とを有する揚げ器ポットの側面図である。
【図５】本発明による、個々の揚げ器ポットを充填するためにそれぞれが別個に作動させられる３つのソレノイド弁と、ポンプとを示す図である。
【図６】本発明による、揚げ器ハウジングの側面図である。
【発明を実施するための形態】
【００２４】
図１を参照すると、揚げ器の前方斜視図が示されており、概して参照符号１０によって示されている。揚げ器１０は、ハウジング１５と、３つの揚げ器ポット２０，２５，３０とを有している。揚げ器ポット２０，２５，３０はそれぞれ、商業的な食品産業において一般的に使用されている食品を揚げるための油を有している。揚げ器ポット２０，２５，３０はそれぞれ、特定のポットのための調理の態様を制御する、専用の制御盤３５，４０，４５を有している。ハウジング１５は、個々に制御可能な、特定のポット２０，２５，３０のそれぞれに関連した充填管５０をも有している。ハウジング１５は、前側において、電源ボタン５５と、油リザーバ６０と、油リザーバ６０に関連した表示灯６５とを有している。ハウジング１５は、油リザーバ６０へのアクセスを提供するために開放される個々のドア７０も有している。さらに、ドア７０は、商業的な調理システムのために必要な定期的なメンテナンスのために開放及び使用されることもできる。ハウジング１５は、ろ過の必要を指示するために所定の時間に制御盤３５，４０，４５によって作動される表示灯７５をも有している。ハウジング１５は３つの揚げ器ポットを有して示されているが、ハウジングは、食品サービスの専門家の要求に応じて、あらゆる数の揚げ器ポットを有することができる。
【００２５】
図２及び図３を参照すると、個々の揚げ器ポット２０が示されている。図１の揚げ器ポット２５及び３０はそれぞれ、揚げ器ポット２０と同じエレメント及び機能を有している。揚げ器ポット２０は、調理領域１００と、浸漬可能な油レベルセンサ１０５とを有している。ポット２０はまた、浸漬可能な安全センサ１１０と、内部加熱エレメント１１５とを有している。加熱エレメント１１５は、この加熱エレメントに関連した温度センサ１２０を有している。
【００２６】
図１、図４及び図５を参照すると、ポット２０は、１対のリニアモータ１３０の一方によって駆動される排出弁１５５を有しており、この排出弁は、使用された油をポット２０から排出する。ポット２０は管系１２５をも有しており、この管系は、１対のリニアモータ１３０の他方によって駆動される油戻し弁１４０を介して、使用された油をポット２０に供給する。個々のポット２０は、遠隔に配置されたソレノイド弁１３５と、このソレノイド弁に関連したポンプ１６０とを有しており、このポンプは、充填管５０において終わった管１６５を通じてポット２０に新たな油を供給するために働く。管１６５は、使用された油をポット２０に供給する管１２５とは別個である。ソレノイド弁１３５は、温度センサ１０５に応答して開閉される。ポンプ１６０は、所定の温度に応答して作動するように温度センサ１０５にも関連している。
【００２７】
図５に示されているように、３つのソレノイド弁１３５，１４５，１５０が設けられている。ソレノイド弁１４５及び１５０は、ポット２５及び３０に配置された個々の浸漬可能な温度センサに応答してポット２５及び３０をそれぞれ充填するように接続されている。ポンプ１６０は、個々のポットにおける調理油のレベルに応じて３つのソレノイド弁１３５，１４５，１５０に供給する。
【００２８】
作動は揚げ器ポット２０に関して説明される。作動において、第１の所定の温度に到達したことを、加熱エレメント１１５の近傍に配置された温度センサ１２０が検出した場合にだけ、揚げ器ポット２０の自動的な充填を開始するために、浸漬可能な温度センサ１０５によって、新たな油のポンプ１６０のみが作動させられることができる。この第１の所定の温度は、約２５０゜Ｆ（１２１．１℃）〜約２８０゜Ｆ（１３７．８℃）の範囲である。例えば、センサ１２０が、約２６０゜Ｆ（１２６．７℃）の油温度を検出すると、浸漬可能な温度センサ１０５は、ソレノイド弁１３５と、新たな油のポンプ１６０とを作動させるために使用可能にされる。浸漬可能な温度センサ１０５は、以下で説明される所定の温度においてのみソレノイド弁１３５及び新たな油のポンプ１６０を作動させる。センサ１２０を監視する目的は、ポンプ１６０の早過ぎる作動と、ポット２０の不適切な充填と、可能な過剰充填シナリオとを回避することである。さらに、低温の油の量は、高温の油の量よりも著しく小さい。センサ１２０は、比較的低い温度のために、油量が小さい時に始動期間の間にポンプが早く介入しすぎることも阻止する。さらに、センサ１２０が、第１の所定の温度よりも約５゜Ｆ（−１５℃）〜２５゜Ｆ（−３．９℃）だけ低い温度を検出した場合、センサ１０５は、ポンプ１６０を作動させるために使用可能にさせられず、ひいては、排出される又は使用されていないシステムを充填することを阻止する。
【００２９】
センサ１２０が約２６０゜Ｆ（１２６．７℃）〜約２９０゜Ｆ（１４３．３℃）の範囲の第２の所定の温度を検出すると、浸漬可能な温度センサ１０５、スイッチ、は、介入させられることができる。温度センサ１０５がこの第２の範囲の温度を検出した場合、温度センサ１０５は、閉鎖し、ポンプ１６０及びソレノイド弁１３５を作動させる。この範囲の温度は、センサ１０５に、センサがもはや油に浸漬されておらず、適切な油量をポット２０に戻すために充填が開始しなければならないことを示す。新たな調理油がポット２０に導入されている間、油は、加熱エレメント１１５によって加熱もされる。浸漬可能な温度センサ１０５が、約３００゜Ｆ（１４８．９℃）〜約３３０゜Ｆ（１６５．６℃）の範囲の第３の所定の温度を検出すると、温度センサ１０５は、開放し、ひいてはポット２０の充填を停止させる。この第３の範囲の温度は、センサ１０５が再び油に浸漬され、ポット２０が所望の油量を有することを示す。浸漬可能な熱センサ１０５は、ハウジング１５における、その他の揚げ器ポット２５又は３０の１つではなく、適切な揚げ器ポット２０が充填されることを保証するために、ソレノイド弁１３５に接続されている。
【００３０】
センサ１０５がポンプ１６０の作動を停止させることができない場合、センサ１１０、すなわち、ポット２０においてより高く配置された第２の浸漬可能な熱センサ、が作動させられる。センサ１１０は、充填作動を停止させるためにポンプ１６０と直列に電気的に接続されている。第２の熱センサ１１０は、センサ１０５がポンプ動作を停止させないならば、ポット２０が溢れることを阻止するための安全手段として働く。さらに、付加的な安全手段は、ポンプの動作及び溢れを防止するためにポンプ１６０に関連したオフディレータイマである。センサ１１０は、リザーバにおける油の低いレベルがあるか又はリザーバ油が使用者によって交換されない場合にポンプ寿命も保存する。
【００３１】
充填システムは、加熱エレメント１１５に関連した浸漬された温度センサ１２０を有するものとして説明されたが、温度センサは、ポットの表面における温度を検出するために揚げ器ポットの側部にも配置されていることができる。
【００３２】
新たな油がフライポット２０に供給される場合、新たな油は、充填管５０において終わる、別個の管１６５を通って油ラインの上方に来て、新たな油が、使用された油と接触するのを阻止し、新たな油がポット２０に入る前に汚染されることを阻止する。より高い進入個所を有することによって、ポット２０の底部における屑をかき乱す可能性が排除される。より高い進入個所は、ソレノイド弁１３５，１４５，１５０が詰まる可能性を低減する。
【００３３】
図１及び図６を参照すると、ハウジング１５及びリザーバ６０が示されている。揚げ器ポット２０，２５，３０を充填するために使用される油はリザーバ６０に配置されている。リザーバ６０における油が低いレベルにあることを使用者に警告するために、リザーバが載置されたばねが拡張し、リザーバを持ち上げ、アラーム又はライトを作動させる。択一的に、アラーム又はライトは、ポンプ１６０に関連したオフディレータイマによって作動させられてもよく、このオフディレータイマは、揚げ器ポットを再充填するために所定の予想される期間が経過したことを検出し、リザーバが空であることを示す。次いで、個々のリザーバが取り外され、新たな充填されたリザーバが挿入される。択一的に、１つの恒久的なリザーバが全ての揚げ器ポット２０，２５，３０の下側に配置され、恒久的なリザーバが充填される。
【００３４】
本発明は、発明の好適な形態を特に引用して説明されているが、開示に定義された本発明の精神及び範囲から逸脱することなく様々な変更が成されてよいことが明らかになるであろう。
【符号の説明】
【００３５】
１０  揚げ器、  １５  ハウジング、  ２０，２５，３０  揚げ器ポット、  ３５，４０，４５  制御盤、  ５０  充填管、  ５５  電源ボタン、  ６０  油リザーバ、  ６５  表示灯、  ７０  ドア、  ７５  表示灯、  １０５  油レベルセンサ、  １１０  安全センサ、  １１５  加熱エレメント、  １２０  温度センサ、  １２５  管系、  １３０  リニアモータ、  １３５  ソレノイド弁、  １４０  油戻し弁、  １４５，１５０  ソレノイド弁、  １６０  ポンプ、  １６５  管
【図１】
2010522057.tif 000003
【図２】
2010522057.tif 000004
【図３】
2010522057.tif 000005
【図４】
2010522057.tif 000006
【図５】
2010522057.tif 000007
【図６】
2010522057.tif 000008
【国際調査報告】
2010522057.tif 000009